(57)【特許請求の範囲】
【請求項１】
本日を含む未来の所定の期間分の番組情報を取得する取得手段と、
前記取得手段により取得された前記番組情報のうち、予め決められた期間内に放送された番組であり、BSまたは地方局で放送された番組ではなく、かつ、番組長が予め決められた時間未満ではない番組の番組情報からキーワードを抽出する第１の抽出手段と、
前記第１の抽出手段により抽出されたキーワードの集計結果を保持する保持手段と、
前記保持手段に保持されている、本日より前記所定の期間だけ前の日に取得された前記番組情報から抽出されたキーワードの集計結果と本日取得された前記番組情報から抽出されたキーワードの集計結果の差分に基づいて所定のキーワードを抽出する第２の抽出手段と、
前記第２の抽出手段により抽出された少なくとも二つ以上の前記所定のキーワードをディスプレイに一覧表示させるキーワード表示手段と、
前記キーワード表示手段により表示される前記所定のキーワードの一つを、ユーザが選択することが出来るキーワード選択手段と、
前記キーワード選択手段により選択された前記所定のキーワードが含まれる番組情報を検索する検索手段と、
前記検索手段により番組情報が検索された少なくとも二つ以上の番組を、前記ディスプレイに一覧表示させる番組表示手段と、
前記番組表示手段により表示された前記少なくとも二つ以上の番組の一つを、ユーザが選択することが出来る番組選択手段と
を備え、
前記番組表示手段は、前記キーワード表示手段により一覧表示された前記所定のキーワードと同時に表示させ、
前記番組選択手段により選択された前記番組の詳細情報又は代表画面が、
前記キーワード表示手段により一覧表示された前記所定のキーワードと、
前記キーワード選択手段により選択された前記所定のキーワードに関連する少なくとも二つ以上の番組と
を同時に表示中の前記ディスプレイに表示される
情報処理装置。
【請求項２】
除外キーワードを記憶する記憶手段と、
前記第２の抽出手段により抽出された前記所定のキーワードのうち、前記記憶手段に記憶されている前記除外キーワードを除外する除外手段と
をさらに備える請求項１に記載の情報処理装置。
【請求項３】
前記キーワードの類義語を記憶する記憶手段をさらに備え、
前記検索手段は、前記記憶手段に記憶されている、前記第２の抽出手段により抽出された前記所定のキーワードに対応する類義語が含まれる番組情報をさらに検索する
請求項１に記載の情報処理装置。
【請求項４】
本日より１週間前の日に取得された番組情報から抽出したキーワードの集計結果が所定の閾値を超えるか否かを判定する判定手段をさらに備え、
前記判定手段により前記本日より１週間前の日に取得された番組情報から抽出したキーワードの集計結果が所定の閾値を超えると判定された場合、前記第２の抽出手段は、前記所定のキーワードの抽出を行わない
請求項１に記載の情報処理装置。
【請求項５】
前記第２の抽出手段は、前記本日より１週間前の日に取得された番組情報から抽出したキーワードの集計結果と前記本日取得された番組情報から抽出したキーワードの集計結果の差分の多いキーワードを抽出する
請求項１に記載の情報処理装置。
【請求項６】
本日を含む未来の所定の期間分の番組情報を取得し、
取得した前記番組情報のうち、予め決められた期間内に放送された番組であり、BSまたは地方局で放送された番組ではなく、かつ、番組長が予め決められた時間未満ではない番組の番組情報からキーワードを抽出し、
抽出したキーワードの集計結果を保持し、
保持している、本日より前記所定の期間だけ前の日に取得した前記番組情報から抽出したキーワードの集計結果と本日取得した前記番組情報から抽出したキーワードの集計結果の差分に基づいて所定のキーワードを抽出し、
抽出した少なくとも二つ以上の前記所定のキーワードをディスプレイに一覧表示させ、
表示させた前記所定のキーワードの一つを、ユーザに選択させ、
選択された前記所定のキーワードが含まれる番組情報を検索し、
番組情報を検索した少なくとも二つ以上の番組を、一覧表示させたキーワードと同時に前記ディスプレイに一覧表示させ、
表示させた前記少なくとも二つ以上の番組の一つを、ユーザに選択させ、
選択された前記番組の詳細情報又は代表画面を、
一覧表示された前記所定のキーワードと、
選択された前記所定のキーワードに関連する少なくとも二つ以上の番組と
を同時に表示中の前記ディスプレイに表示させる
ステップを含む情報処理方法。
【請求項７】
本日を含む未来の所定の期間分の番組情報を取得し、
取得した前記番組情報のうち、予め決められた期間内に放送された番組であり、BSまたは地方局で放送された番組ではなく、かつ、番組長が予め決められた時間未満ではない番組の番組情報からキーワードを抽出し、
抽出したキーワードの集計結果を保持し、
保持している、本日より前記所定の期間だけ前の日に取得した前記番組情報から抽出したキーワードの集計結果と本日取得した前記番組情報から抽出したキーワードの集計結果の差分に基づいて所定のキーワードを抽出し、
抽出した少なくとも二つ以上の前記所定のキーワードをディスプレイに一覧表示させ、
表示させた前記所定のキーワードの一つを、ユーザに選択させ、
選択された前記所定のキーワードが含まれる番組情報を検索し、
番組情報を検索した少なくとも二つ以上の番組を、一覧表示させたキーワードと同時に前記ディスプレイに一覧表示させ、
表示させた前記少なくとも二つ以上の番組の一つを、ユーザに選択させ、
選択された前記番組の詳細情報又は代表画面を、
一覧表示された前記所定のキーワードと、
選択された前記所定のキーワードに関連する少なくとも二つ以上の番組と
を同時に表示中の前記ディスプレイに表示させる
ステップを含む処理をコンピュータに実行させるプログラム。
【発明の詳細な説明】
【技術分野】
【０００１】
本発明は、情報処理装置、情報処理方法、およびプログラムに関し、特に、番組情報から流行番組を簡単に抽出することができるようにした情報処理装置、情報処理方法、およびプログラムに関する。
【背景技術】
【０００２】
近年、テレビジョン放送を記録（録画）するハードディスクレコーダの登場により、ユーザは、大容量のハードディスクに番組を記録し、実放送とは異なる日時に、かつ、実際の番組編成とは無関係に、記録した番組（コンテンツ）を視聴（再生）することができるようになってきた。その便利さ故に、ユーザは、番組の視聴有無にかかわらず、番組を記録するようになり、大容量のハードディスクに記録はされたものの、膨大なコンテンツに埋もれ、そのまま死蔵されてしまう状況が懸念される。
【０００３】
そこで、ユーザは、例えば、現在流行している番組に着目して、それをハードディスクに記録することができれば、流行番組であることから視聴する機会が増える可能性があり、コンテンツの無駄な記録を抑制することができる。
【０００４】
しかしながら、現在流行している番組を探すために、ユーザは、新聞、テレビ情報誌、あるいは、インターネットを利用したメディアから自分で探す必要があった。
【０００５】
このような問題を解決するために、例えば、番組情報からキーワードを抽出し、そのキーワード数の多い順に並べ替えることで、流行番組を抽出するようにしているものがある（例えば、特許文献１乃至３参照）。
【０００６】
【特許文献１】特開平１０−４２２３４号公報
【特許文献２】特開平１０−４２２３５号公報
【特許文献３】特開平１０−４２２３６号公報
【発明の開示】
【発明が解決しようとする課題】
【０００７】
しかしながら、単にキーワード数の多い順に並べ替えただけでは、例えば、「野球」や「ドラマ」などのような一般的な言葉がキーワードとして抽出されてしまう恐れがあり、本来の流行番組を見抜くことができない課題があった。
【０００８】
本発明はこのような状況に鑑みてなされたものであり、番組情報から流行番組を簡単に抽出することができるようにするものである。
【課題を解決するための手段】
【０００９】
本発明の一側面の情報処理装置は、本日を含む未来の所定の期間分の番組情報を取得する取得手段と、前記取得手段により取得された前記番組情報のうち、予め決められた期間内に放送された番組であり、BSまたは地方局で放送された番組ではなく、かつ、番組長が予め決められた時間未満ではない番組の番組情報からキーワードを抽出する第１の抽出手段と、前記第１の抽出手段により抽出されたキーワードの集計結果を保持する保持手段と、前記保持手段に保持されている、本日より前記所定の期間だけ前の日に取得された前記番組情報から抽出されたキーワードの集計結果と本日取得された前記番組情報から抽出されたキーワードの集計結果の差分に基づいて所定のキーワードを抽出する第２の抽出手段と、前記第２の抽出手段により抽出された少なくとも二つ以上の前記所定のキーワードをディスプレイに一覧表示させるキーワード表示手段と、前記キーワード表示手段により表示される前記所定のキーワードの一つを、ユーザが選択することが出来るキーワード選択手段と、前記キーワード選択手段により選択された前記所定のキーワードが含まれる番組情報を検索する検索手段と、前記検索手段により番組情報が検索された少なくとも二つ以上の番組を、前記ディスプレイに一覧表示させる番組表示手段と、前記番組表示手段により表示された前記少なくとも二つ以上の番組の一つを、ユーザが選択することが出来る番組選択手段とを備え、前記番組表示手段は、前記キーワード表示手段により一覧表示された前記所定のキーワードと同時に表示させ、前記番組選択手段により選択された前記番組の詳細情報又は代表画面が、前記キーワード表示手段により一覧表示された前記所定のキーワードと、前記キーワード選択手段により選択された前記所定のキーワードに関連する少なくとも二つ以上の番組とを同時に表示中の前記ディスプレイに表示される。
【００１２】
除外キーワードを記憶する記憶手段と、前記第２の抽出手段により抽出された前記所定のキーワードのうち、前記記憶手段に記憶されている前記除外キーワードを除外する除外手段とをさらに設けることができる。
【００１３】
前記キーワードの類義語を記憶する記憶手段をさらに設けることができる。この場合、前記検索手段には、前記記憶手段に記憶されている、前記第２の抽出手段により抽出された前記所定のキーワードに対応する類義語が含まれる番組情報をさらに検索させることができる。
【００１４】
本日より１週間前の日に取得された番組情報から抽出したキーワードの集計結果が所定の閾値を超えるか否かを判定する判定手段をさらに設けることができる。この場合、前記判定手段により前記本日より１週間前の日に取得された番組情報から抽出したキーワードの集計結果が所定の閾値を超えると判定された場合、前記第２の抽出手段には、前記所定のキーワードの抽出を行わせないことができる。
【００１５】
前記第２の抽出手段には、前記本日より１週間前の日に取得された番組情報から抽出したキーワードの集計結果と前記本日取得された番組情報から抽出したキーワードの集計結果の差分の多いキーワードを抽出させることができる。
【００１６】
本発明の一側面の情報処理方法またはプログラムは、本日を含む未来の所定の期間分の番組情報を取得し、取得した前記複数の番組情報のうち、予め決められた期間内に放送された番組であり、BSまたは地方局で放送された番組ではなく、かつ、番組長が予め決められた時間未満ではない番組の番組情報からキーワードを抽出し、抽出したキーワードの集計結果を保持し、保持している、本日より前記所定の期間だけ前の日に取得した前記番組情報から抽出したキーワードの集計結果と本日取得した前記番組情報から抽出したキーワードの集計結果の差分に基づいて所定のキーワードを抽出し、抽出した少なくとも二つ以上の前記所定のキーワードをディスプレイに一覧表示させ、表示させた前記所定のキーワードの一つを、ユーザに選択させ、選択された前記所定のキーワードドが含まれる番組情報を検索し、番組情報を検索した少なくとも二つ以上の番組を、一覧表示させたキーワードと同時に前記ディスプレイに一覧表示させ、表示された前記少なくとも二つ以上の番組の一つを、ユーザに選択させ、選択された前記番組の詳細情報又は代表画面を、一覧表示された前記所定のキーワードと、選択された前記所定のキーワードに関連する少なくとも二つ以上の番組とを同時に表示中の前記ディスプレイに表示させるステップを含む。
【００１７】
本発明の一側面においては、本日を含む未来の所定の期間分の番組情報が取得され、取得された前記番組情報のうち、予め決められた期間内に放送された番組であり、BSまたは地方局で放送された番組ではなく、かつ、番組長が予め決められた時間未満ではない番組の番組情報からキーワードが抽出され、抽出されたキーワードの集計結果が保持され、保持されている、本日より前記所定の期間だけ前の日に取得された前記番組情報から抽出されたキーワードの集計結果と本日取得された前記番組情報から抽出されたキーワードの集計結果の差分に基づいて所定のキーワードが抽出され、抽出された少なくとも二つ以上の前記所定のキーワードがディスプレイに一覧表示される。また、表示された前記所定のキーワードの一つが、ユーザに選択され、選択された前記所定のキーワードが含まれる番組情報が検索され、番組情報が検索された少なくとも二つ以上の番組が、一覧表示させたキーワードと同時に前記ディスプレイに一覧表示される。また、表示された少なくとも二つ以上の番組の一つが、ユーザに選択され、選択された番組の詳細情報又は代表画面が、一覧表示された前記所定のキーワードと、選択された前記所定のキーワードに関連する少なくとも二つ以上の番組とを同時に表示中のディスプレイに表示される。
【発明の効果】
【００１８】
本発明の一側面によれば、番組情報に含まれるキーワードを抽出することができる。
【発明を実施するための最良の形態】
【００１９】
図１は、本発明を適用した記録装置１の構成例を示すブロック図である。
【００２０】
CPU(Central Processing Unit)１１は、コントローラ１２を介して、ROM(Read Only Memory)１３に記憶されたプログラムや、HDD(Hard Disk Drive)２５からRAM(Random Access Memory)１４にロードされたプログラムを実行し、バス１５および２４に接続されている各部の動作を制御する。
【００２１】
チューナ部１７は、CPU１１による制御に従って、アンテナ１６からの放送信号を受信、復調し、所定のチャンネルで放送されてきたトランスポートストリームを、バス１５を介してデスクランブラ１８に出力する。なお、受信された放送信号には、放送予定の番組に関する番組情報（例えば、EPG（Electronic Program Guide）情報）が多重化されている。
【００２２】
デスクランブラ１８は、カードI/F(Interface)１９に挿入されたCASカード２０に記憶されているデータを用いてスクランブルを解くキーを生成し、チューナ部１７から供給されてきたトランスポートストリームのスクランブルを解除する。デスクランブラ１８によりスクランブルが解除されたトランスポートストリームは、例えば、バス１５を介してデマルチプレクサ２１に供給される。
【００２３】
カードI/F１９は、CASカード２０から読み出したデータをバス１５を介してデスクランブラ１８に供給する。
【００２４】
デマルチプレクサ２１は、CPU１１による制御に従って、デスクランブラ１８から供給されてきたトランスポートストリームから所定のストリームを抽出し、抽出したストリームを構成するパケットをバス１５上に、または、オーディオデコーダ２２、ビデオデコーダ２３に出力する。デマルチプレクサ２１により得られたパケットからなるコンテンツは、例えば、バス１５、コントローラ１２、およびバス２４を介してHDD２５に供給され、記録される。
【００２５】
また、デマルチプレクサ２１は、トランスポートストリームから抽出した番組情報をバス１５、およびコントローラ１２を介してCPU１１に出力する。
【００２６】
オーディオデコーダ２２は、デマルチプレクサ２１から供給されてきたオーディオデータ（オーディオパケット）をデコードし、得られたオーディオデータを図示せぬオーディオ出力端子から出力する。オーディオ出力端子から出力されたオーディオデータは、例えば、記録装置１と接続されるテレビジョン受像機により受信され、そのスピーカから、オーディオデータに対応する音声が出力される。
【００２７】
ビデオデコーダ２３は、デマルチプレクサ２１から供給されてきたビデオデータ（ビデオパケット）をデコードし、得られたビデオデータを図示せぬビデオ出力端子から出力する。ビデオ出力端子から出力されたビデオデータは、例えば、記録装置１と接続されるテレビジョン受像機により受信され、そのディスプレイに、ビデオデータに対応する画像が表示される。
【００２８】
ビデオデコーダ２３は、例えば、HDD２５に記録されているコンテンツのタイトル、および、番組情報から抽出された流行番組の一覧などを表示させるOSD(On Screen Display)機能も有しており、OSD機能により生成したビデオデータも、ビデオ出力端子を介してテレビジョン受像機に出力する。なお、番組情報から流行番組を抽出する処理の詳細は後述する。
【００２９】
HDD２５は、バス２４を介して供給されてきたコンテンツおよび番組情報を記録する。HDD２５に記録されたコンテンツは、CPU１１による制御に従って適宜読み出され、再生される。
【００３０】
光ディスクドライブ２６は、そこに装着された光ディスク２７を駆動することにより、バス２４を介して供給されてきたデータを光ディスク２７に記録し、また、光ディスク２７に記録されているデータ（プログラムを含む）を読み出してバス２４上に出力する。例えば、光ディスクドライブ２６は、HDD２５からバス２４を介して供給されてきたコンテンツを光ディスク２７に記録させたり、あるいは、光ディスク２７に記録されているコンテンツをバス２４を介して読み出し、HDD２５に記録させる。ここで、光ディスク２７は、例えば、DVD(Digital Versatile Disc)やBlu-ray Disk（商標）等である。
【００３１】
半導体メモリI/F２８は、そこに装着された半導体メモリ２９を駆動することにより、バス２４を介して供給されてきたデータを半導体メモリ２９に記録し、また、半導体メモリ２９に記録されているデータを読み出してバス２４上に出力する。半導体メモリ２９は、例えば、メモリスティック（商標）、SDカード（商標）等である。
【００３２】
通信部３０は、例えば、IEEE(Institute of Electrical and Electronics Engineers)1394ケーブルを介して接続される外部機器と通信を行い、例えば、バス２４を介して供給されてきたコンテンツを、その外部機器に出力する。
【００３３】
図２は、記録装置１の機能的構成例を示すブロック図である。図２に示す機能的構成例は、CPU１１が、ROM１３に記憶された所定のプログラムを実行することで実現される。
【００３４】
番組情報受信部５１は、デマルチプレクサ２１によりトランスポートストリームから抽出された番組情報を受信し、キーワード抽出部５２に供給するとともに、HDD２５の番組情報データベース７１に供給し、そこに記録させる。なお、通常、番組情報を受信すると、受信した日からほぼ８日分の番組に関する番組情報を取得することができる。
【００３５】
キーワード抽出部５２は、キーワード辞書記憶部５３に記憶されているキーワード辞書、および、除外キーワード辞書記憶部５４に記憶されている除外キーワード辞書に基づいて、番組情報受信部５１から供給された番組情報の中から、キーワードを抽出する。
【００３６】
キーワード辞書記憶部５３は、複数の字種（例えば、漢字、ひらがな、およびカタカナなど）からなる人名などのキーワード、ひらがなのみのキーワード、および、６文字以上のキーワードをキーワード辞書として記憶している。
【００３７】
図３は、キーワード辞書記憶部５３に記憶されているキーワード辞書の例を示している。図３の例の場合、「上条アトム」、「加賀まいこ」、「加藤あき」・・・などの情報が記憶されている。
【００３８】
除外キーワード辞書記憶部５４は、キーワードとして除外するキーワード（すなわち、一般的に抽出されやすい単語）を除外キーワード辞書として記憶している。
【００３９】
図４は、除外キーワード辞書記憶部５４に記憶されている除外キーワード辞書の例を示している。図４の例の場合、「メートル」、「メンバー」、「ドラマ」・・・などの情報が記憶されている。
【００４０】
ここで、例えば、「バラエティ、新・食わず嫌い王決定戦、加藤あきVS薬丸宏英、抱腹絶倒の新コーナーが続々登場、爆笑トーク」からなる番組情報から、キーワードを抽出する場合について説明する。
【００４１】
キーワード抽出部５２は、キーワード辞書記憶部５３に記憶されているキーワード辞書および除外キーワード辞書記憶部５４に記憶されている除外キーワード辞書を参照しない場合、「バラエティ」、「加藤」、「あき」、「薬丸宏英」、「抱腹絶倒」、「コーナー」、および「トーク」のキーワードを抽出することになる。これに対し、キーワード辞書記憶部５３に記憶されているキーワード辞書および除外キーワード辞書記憶部５４に記憶されている除外キーワード辞書を参照する場合、キーワード抽出部５２は、漢字＋ひらがなの人名を持つ「加藤あき」をキーワードとして抽出することができ、一般的に抽出されやすい単語である「バラエティ」は抽出しない。
【００４２】
キーワード集計部５５は、キーワード抽出部５２で抽出されたキーワードの１週間分のキーワード数を集計し、集計結果をキーワードデータベースファイルに出力し、HDD２５のキーワードデータベース７２に記録させる。
【００４３】
図５は、キーワードデータベース７２に記録されるキーワードデータベースファイルの例を示している。キーワードデータベース７２は、キーワード、および、そのキーワードのキーワード数のフィールドで構成されている。
【００４４】
図５の例の場合、第１行目のフィールドには、キーワードが「イラク」、およびキーワード数が「３」からなる情報が記録され、第２行目のフィールドには、キーワードが「マラソン」、およびキーワード数が「１３」からなる情報が記録され、第３行目のフィールドには、キーワードが「ウエンツ英二」、およびキーワード数が「１」からなる情報が記録されている。同様に、第４行目のフィールド以降も、キーワードおよびキーワード数からなる情報がそれぞれ記録されている。
【００４５】
差分演算部５６は、キーワードデータベース７２に記録された１週間分のキーワードの集計結果を参照し、今日抽出した今週のキーワードの集計結果と、１週間前に抽出したキーワードの集計結果との差分を演算する。
【００４６】
すなわち、図６に示されるように、差分演算部５６は、今日（7/8）取得した番組情報から今週（7/8乃至7/14）のキーワードを抽出し、その集計結果と、１週間前の日（7/1）に抽出された先週（7/1乃至7/7）のキーワードの集計結果との差分を演算する。なお、１週間毎にキーワードを集計するようにしたが、これは一例であって、集計期間を任意に変更することも勿論可能である。
【００４７】
そして、差分演算部５６は、今週と先週のキーワード数の差分を集計し、集計結果を流行キーワードデータベースファイルに出力し、HDD２５の流行キーワードデータベース７３に記録させる。
【００４８】
図７は、流行キーワードデータベース７３に記録される流行キーワードデータベースファイルの例を示している。流行キーワードデータベース７３は、キーワード、そのキーワードの今週のキーワード数、そのキーワードの先週のキーワード数、および、今週と先週のキーワード数の差分のフィールドで構成されている。
【００４９】
図７の例の場合、第１行目のフィールドには、キーワードが「アテネ」、今週のキーワード数が「１８」、先週のキーワード数が「４」、およびキーワード数の差分「１４」からなる情報が記録され、第２行目のフィールドには、キーワードが「マラソン」、今週のキーワード数が「１３」、先週のキーワード数が「２」、およびキーワード数の差分「１１」からなる情報が記録され、第３行目のフィールドには、キーワードが「トムトム」、今週のキーワード数が「１０」、先週のキーワード数が「０」、およびキーワード数の差分「１０」からなる情報が記録されている。同様に、第４行目のフィールド以降も、キーワード、今週のキーワード数、先週のキーワード数、およびキーワード数の差分からなる情報がそれぞれ記録されている。
【００５０】
流行キーワード抽出部５７は、流行キーワードデータベース７３に記録されている流行キーワードデータベースファイルのキーワードのうち、除外キーワード辞書記憶部５４に記憶されている除外キーワード辞書に含まれる文字列を除外した後、今週と先週のキーワード数の差分が大きい順に所定の個数（例えば、２０個）のキーワードを抽出し、これを今週の流行キーワードとする。また、流行キーワード抽出部５７は、流行キーワードデータベース７３に記録されている所定期間以前（例えば、１０日以上前）の流行キーワードデータベースファイルを削除する。
【００５１】
表示部５８は、流行キーワード抽出部５７により抽出された流行キーワードに基づいて、ビデオデコーダ２３のOSD機能を用いて、流行番組一覧の画面を外部のディスプレイに表示させる。この画面から、ユーザは、流行キーワードに関連する番組を選択することができる。
【００５２】
図８は、表示部５８により表示される流行番組一覧の画面の例を示す図である。
【００５３】
図８に示されるように、画面８１には、流行キーワード表示エリア８２に流行キーワードが表示されているとともに、関連番組表示エリア８４に流行キーワードに関連する流行番組一覧が表示されている。このような画面８１が表示されている状態で、例えば、ユーザが、図示せぬリモートコントローラのボタンを用いてカーソルを移動させ、流行キーワード８３を選択したとき、その流行キーワードに関連する番組が検索されて、関連番組表示エリア８４に一覧表示される。また、ユーザがカーソルを移動させ、関連番組８５を選択したとき、その関連番組の詳細情報や代表画面なども表示される。さらに、ユーザがリモートコントローラの決定ボタンを押下したとき、現在選択されている関連番組８５の録画予約などが行われる。
【００５４】
流行キーワード検出部５９は、図８に示した画面８１の流行キーワード表示エリア８２に表示されている流行キーワードのうち、ユーザの操作に応じて選択された所定の流行キーワードを検出する。番組情報検索部６０は、類義語辞書記憶部６１に記憶されている類義語辞書に基づいて、流行キーワード検出部５９により検出された流行キーワードに関連する番組情報を、HDD２５の番組情報データベース７１から検索し、検索結果を表示部５８に供給する。これにより、表示部５８は、検索された番組情報に基づいて、図８に示した画面８１の表示を更新する。
【００５５】
図９は、類義語辞書記憶部６１に記憶されている類義語辞書の例を示している。図９の例の場合、「五藤くみ，ゴクミ」、「後東真樹，ゴマキ」、「高野尚子，Qちゃん」・・・などの情報が記憶されている。
【００５６】
番組情報検索部６０は、流行キーワードが、類義語辞書記憶部６１に記憶されている類義語辞書の第１キーワード（すなわち、類義語辞書の各行の最初のキーワード（図９の例では、「五藤くみ」、「後東真樹」、および、「高野尚子」など））に該当する場合、それに続く第２キーワード以降のキーワード（すなわち、類義語辞書の各行の第２番目以降のキーワード（図９の例では、「ゴクミ」、「ゴマキ」、および「Ｑちゃん」など）を含む番組情報も検索する。
【００５７】
これにより、画面８１の関連番組表示エリア８４には、流行キーワード、および、流行キーワードの類義語を含む関連番組が検索されて表示される。
【００５８】
次に、図１０のフローチャートを参照して、記録装置１が実行する、流行キーワード抽出処理について説明する。この処理は、例えば、デマルチププレクサ２１により、トランスポートストリームから番組情報が抽出されたときに行われる。
【００５９】
ステップＳ１において、番組情報受信部５１は、デマルチプレクサ２１で抽出された番組情報を受信する。これにより、受信した日からほぼ８日分の番組情報が取得される。
【００６０】
ステップＳ２において、キーワード抽出部５２は、ステップＳ１の処理で受信された番組情報の中から、今週のキーワードを抽出し、キーワード集計部５５は、抽出された今週のキーワードのキーワード数を集計する。この今週のキーワード抽出・集計処理の詳細については、図１１のフローチャートを参照して後述するが、この処理により、１週間分のキーワードの集計結果であるキーワードデータベースファイルがキーワードデータベース７２に記録される。
【００６１】
ステップＳ３において、差分演算部５６は、キーワードデータベース７２に先週のキーワードデータベースファイルが存在するか否か（すなわち、ステップＳ２の処理により、先週のキーワードの集計結果であるキーワードデータベースファイルが記録されているか否か）を判定し、先週のキーワードデータベースファイルが存在すると判定した場合、ステップＳ４に進む。
【００６２】
ステップＳ４において、差分演算部５６は、今週のキーワードの集計結果と先週のキーワードの集計結果との差分を集計し、流行キーワード抽出部５７は、今週と先週のキーワード数の差分が大きい順に所定の個数の流行キーワードを抽出する。この流行キーワード集計・抽出処理の詳細については、図１３のフローチャートを参照して後述するが、この処理により、今週と先週のキーワード数の差分が集計され、その集計結果である流行キーワードデータベースファイルが流行キーワードデータベース７３に記録されるとともに、今週の流行キーワードが抽出される。
【００６３】
ステップＳ５において、流行キーワード抽出部５７は、流行キーワードデータベース７３に記録されている１０日以上前の流行キーワードデータベースファイルを削除した後、流行キーワード抽出処理は終了される。
【００６４】
一方、ステップＳ３において、キーワードデータベース７２に先週のキーワードデータベースファイルが存在しないと判定された場合、ステップＳ４およびステップＳ５の処理はスキップされ、処理は終了される。すなわち、キーワードデータベース７２に先週のキーワードデータベースファイルが未だ存在しない場合には、今週のキーワードデータベースファイルとの差分を集計することができないため、今週の流行キーワードは抽出されない。
【００６５】
以上の流行キーワード抽出処理により、番組情報から抽出されたキーワードの今週のキーワード数と先週のキーワード数の差分が集計され、その集計結果から今週の流行キーワードが抽出される。
【００６６】
次に、図１１のフローチャートを参照して、図１０のステップＳ２における今週のキーワード抽出・集計処理の詳細について説明する。
【００６７】
ステップＳ１１において、キーワード抽出部５２は、全番組のキーワード抽出・集計処理を終了したか否かを判定し、未だ全番組のキーワード抽出・集計処理を終了していないと判定した場合、ステップＳ１２に進む。
【００６８】
ステップＳ１２において、キーワード抽出部５２は、図１０のステップＳ１の処理で受信された番組情報のうちの１つの番組を選択する。ステップＳ１３において、キーワード抽出部５２は、ステップＳ１２の処理で選択した番組が１週間以内に放送される番組であるか否かを判定し、１週間以内の番組であると判定した場合、ステップＳ１４に進む。
【００６９】
ステップＳ１４において、キーワード抽出部５２は、さらに、選択した番組がＢＳまたは地方局の番組であるか否かを判定し、選択した番組がＢＳまたは地方局の番組ではないと判定した場合、ステップＳ１５に進む。ステップＳ１５において、キーワード抽出部５２は、さらに、選択した番組の番組長が３０分未満であるか否かを判定し、選択した番組の番組長が３０分未満ではないと判定した場合、ステップＳ１６に進む。すなわち、これらステップＳ１４およびステップＳ１５の処理により、流行キーワードになり得ないキーワードを排除するべくフィルタリングが行われる。
【００７０】
ステップＳ１６において、キーワード抽出部５２は、１週間以内の番組であり、ＢＳまたは地方局の番組ではなく、かつ、番組長が３０分未満ではないと判定された番組の番組情報からキーワードを抽出する。
【００７１】
ここで、図１２のフローチャートを参照して、図１１のステップＳ１６におけるキーワード抽出処理の詳細について説明する。
【００７２】
ステップＳ３１において、キーワード抽出部５２は、１週間以内の番組であり、ＢＳまたは地方局の番組ではなく、かつ、番組長が３０分未満の番組ではないと判定された番組の番組情報の対象文字列（すなわち、詳細情報）の中から、キーワード辞書記憶部５３に記憶されているキーワード辞書（図３）に含まれる文字列を抽出し、ステップＳ３２において、抽出した文字列の部分をスペースに置き換える。
【００７３】
ステップＳ３３において、キーワード抽出部５２は、除外キーワード辞書記憶部５４に記憶されている除外キーワード辞書（図４）に含まれる文字列をスペースに置き換える。ステップＳ３４において、キーワード抽出部５２は、対象文字列の中から特殊文字をスペースに置き換える。ステップＳ３５において、キーワード抽出部５２は、対象文字列を、漢字、ひらがな、カタカナ、数字、アルファベット、および記号といった字種で区切って切り出す。
【００７４】
ステップＳ３６において、キーワード抽出部５２は、ステップＳ３５の処理で切り出した文字列が３文字以上であるか否かを判定し、切り出した文字列が３文字以上であると判定した場合、ステップＳ３７に進む。
【００７５】
ステップＳ３７において、キーワード抽出部５２は、さらに、ステップＳ３５の処理で切り出した文字列が漢字かつ６文字以上であるか否かを判定し、切り出した文字列が漢字かつ６文字以上ではないと判定した場合、ステップＳ３８に進む。
【００７６】
ステップＳ３８において、キーワード抽出部５２は、さらに、ステップＳ３５の処理で切り出した文字列がひらがなのみであるか否かを判定し、切り出した文字列がひらがなのみではないと判定した場合、ステップＳ３９に進む。
【００７７】
ステップＳ３９において、キーワード抽出部５２は、字種で切り出された文字列が、３文字以上であり、漢字かつ６文字以上ではなく、かつ、ひらがなのみではないと判定された文字列をキーワードとして抽出する。
【００７８】
より具体的には、例えば、「ズームインSUPER」の番組情報の詳細情報が「○○頭取の真意は・・・××銀行が会見で弁明、ハリポタ秘最新映像、爆笑おせっかい企画…返しそびれた物は今、話題の多機能体重計、京都南禅寺・瑠璃燈、橋本五郎」であった場合、「○○頭取」、「××銀行」、「ハリポタ」、「京都南禅寺」、「瑠璃燈」、および「橋本五郎」がキーワードとして抽出される。
【００７９】
一方、ステップＳ３６において、字種で切り出された文字列が３文字以上ではないと判定された場合、ステップＳ３７において、字種で切り出された文字列が漢字かつ６文字以上であると判定された場合、または、ステップＳ３８において、字種で切り出された文字列がひらがなのみであると判定された場合、ステップＳ４０に進み、キーワード抽出部５２は、その文字列を省く。
【００８０】
より具体的には、例えば、上述したような詳細情報であった場合、「爆笑」、「話題」、および「多機能体重計」などはキーワードから省かれる。
【００８１】
そして、ステップＳ３９またはステップＳ４０の処理の後、処理は図１１のステップＳ１７に戻る。
【００８２】
ステップＳ１７において、キーワード集計部５５は、ステップＳ１６のキーワード抽出処理により抽出されたキーワードがキーワードデータベース７２に既に登録済みであるか否かを判定し、抽出されたキーワードがキーワードデータベース７２に既に登録済みであると判定した場合、ステップＳ１８に進む。
【００８３】
ステップＳ１８において、キーワード集計部５５は、キーワードデータベース７２に登録されている、いま抽出されたキーワードのキーワード数のフィールドの値を１つ増加させる。
【００８４】
一方、ステップＳ１７において、ステップＳ１６のキーワード抽出処理により抽出されたキーワードがキーワードデータベース７２に未だ登録されていないと判定された場合、ステップＳ１９に進み、キーワード集計部５５は、キーワード数を１に設定し、いま抽出されたキーワードをキーワードデータベース７２に登録する。
【００８５】
ステップＳ１８またはステップＳ１９の処理の後、ステップＳ１３において、現在選択中の番組が１週間以内に放送される番組ではないと判定された場合、ステップＳ１４において、現在選択中の番組がＢＳまたは地方局の番組であると判定された場合、あるいは、ステップＳ１５において、現在選択中の番組の番組長が３０分未満であると判定された場合、ステップＳ２０に進み、キーワード抽出部５２は、次の番組を選択した後、ステップＳ１１に戻り、上述した処理を繰り返し実行する。
【００８６】
ステップＳ１１において、全番組のキーワード抽出・集計処理を終了したと判定された場合、ステップＳ２１に進み、キーワード集計部５５は、抽出されたキーワードの１週間分のキーワード集計結果をキーワードデータベースファイルに出力し、キーワードデータベース７２に記録させる。
【００８７】
以上の今週のキーワード抽出・集計処理により、１週間分のキーワードの集計結果であるキーワードデータベースファイルがキーワードデータベース７２（図５）に記録される。
【００８８】
次に、図１３のフローチャートを参照して、図１０のステップＳ４における流行キーワード集計・抽出処理の詳細について説明する。
【００８９】
ステップＳ５１において、差分演算部５６は、全キーワードの集計処理を終了したか否かを判定し、未だ全キーワードの集計処理を終了していないと判定した場合、ステップＳ５２に進む。
【００９０】
ステップＳ５２において、差分演算部５６は、図１０のステップＳ２の処理で抽出および集計された今週のキーワードのうちの１つのキーワードを選択する。ステップＳ５３において、差分演算部５６は、ステップＳ５２の処理で選択したキーワードを、流行キーワードデータベースファイルのキーワードフィールド（KWフィールド）に代入する。これにより、例えば、図７に示したように、流行キーワードデータベースファイルのキーワードフィールド（左から第１列目フィールド）には、いま選択中のキーワードが代入される。
【００９１】
ステップＳ５４において、差分演算部５６は、キーワードデータベース７２に記録されている今週のキーワードデータベースファイルを読み出して、いま選択中のキーワードのキーワード数を取得し、流行キーワードデータベースファイルの今週のキーワード数フィールドに代入する。これにより、例えば、図７に示したように、流行キーワードデータベースファイルの今週のキーワード数フィールド（左から第２列目フィールド）には、いま選択中のキーワードの今週のキーワード数が代入される。
【００９２】
ステップＳ５５において、差分演算部５６は、キーワードデータベース７２に記録されている先週のキーワードデータベースファイルを読み出し、いま選択中のキーワードと同じキーワードを検索する。ステップＳ５６において、差分演算部５６は、ステップＳ５５の検索処理の結果、先週のキーワードデータベースファイルに、いま選択中のキーワードと同じキーワードが存在するか否かを判定し、同じキーワードが存在すると判定した場合、ステップＳ５７に進む。
【００９３】
ステップＳ５７において、差分演算部５６は、先週のキーワードデータベースファイルから検索、取得した、いま選択中のキーワードのキーワード数を、流行キーワードデータベースファイルの先週のキーワード数フィールドに代入する。これにより、例えば、図７に示したように、流行キーワードデータベースファイルの先週のキーワード数フィールド（左から第３列目フィールド）には、いま選択中のキーワードの先週のキーワード数が代入される。
【００９４】
ステップＳ５６において、先週のキーワードデータベースファイルに、いま選択中のキーワードと同じキーワードが存在しないと判定された場合、ステップＳ５８に進み、差分演算部５６は、流行キーワードデータベースファイルの先週のキーワード数フィールドに値０を代入する。
【００９５】
ステップＳ５７またはステップＳ５８の処理の後、ステップＳ５９において、差分演算部５６は、今週と先週のキーワード数の差分を集計し、集計結果を流行キーワードデータベースファイルの差分キーワード数フィールドに代入する。これにより、例えば、図７に示したように、流行キーワードデータベースファイルの差分フィールド（左から第４列目フィールド）には、いま選択中のキーワードの今週と先週のキーワード数の差分が代入される。
【００９６】
ステップＳ６０において、差分演算部５６は、次のキーワードを選択した後、ステップＳ５１に戻り、上述した処理を繰り返し実行する。そして、ステップＳ５１において、全キーワードの集計処理を終了したと判定された場合、ステップＳ６１に進み、差分演算部５６は、抽出されたキーワードの１週間分の集計結果を流行キーワードデータベースファイルに出力し、流行キーワードデータベース７３に記録させる。
【００９７】
ステップＳ６２において、流行キーワード抽出部５７は、流行キーワードデータベース７３に記録されている流行キーワードデータベースファイルの差分フィールドを参照し、その値が大きい順に並び替えを行う。
【００９８】
ステップＳ６３において、流行キーワード抽出部５７は、全キーワードに対して処理を終了したか否かを判定し、未だ全キーワードに対して処理を終了していないと判定した場合、ステップＳ６４に進む。ステップＳ６４において、流行キーワード抽出部５７は、ステップＳ６２の処理で差分フィールドの値の大きい順に並び替えたキーワードのうちの、値の大きいキーワードから１つを選択する。
【００９９】
ステップＳ６５において、流行キーワード抽出部５７は、ステップＳ６４の処理で選択したキーワードの先週のキーワード数が２個以下であるか否かを判定し、２個以下であると判定した場合、ステップＳ６６に進む。ステップＳ６６において、流行キーワード抽出部５７は、さらに、いま選択中のキーワードが、除外キーワード辞書記憶部５４に記憶されている除外キーワード辞書（図４）に含まれる文字列であるか否かを判定し、除外キーワード辞書に含まれるキーワードではないと判定した場合、ステップＳ６７に進む。すなわち、これらステップＳ６５およびステップＳ６６の処理により、流行キーワードになり得ないキーワードを排除するべくフィルタリングが行われる。
【０１００】
ステップＳ６７において、流行キーワード抽出部５７は、先週のキーワード数が２個以下であり、かつ、除外キーワード辞書に含まれない、いま選択中のキーワードを流行キーワードとして抽出する。
【０１０１】
ステップＳ６８において、流行キーワード抽出部５７は、流行キーワードを２０個抽出したか否かを判定し、未だ流行キーワードを２０個抽出していないと判定した場合、ステップＳ６３に戻り、上述した処理を繰り返し実行する。また、ステップＳ６５において、現在選択中のキーワードの先週のキーワード数が２個以下ではないと判定された場合、または、ステップＳ６６において、現在選択中のキーワードが除外キーワード辞書に含まれると判定された場合も、処理はステップＳ６３に戻り、上述した処理が繰り返し実行される。
【０１０２】
ステップＳ６８において、流行キーワードが２０個抽出されたと判定された場合、または、ステップＳ６３において、全キーワードに対して処理を終了したと判定された場合、流行キーワード集計・抽出処理は終了される。
【０１０３】
以上の流行キーワード集計・抽出処理により、今週のキーワードの集計結果である流行キーワードデータベースファイルが流行キーワードデータベース７３（図７）に記録されるとともに、今週の流行キーワードが抽出される。
【０１０４】
次に、図１４のフローチャートを参照して、記録装置１が実行する、番組情報検索処理について説明する。
【０１０５】
ステップＳ８１において、CPU１１は、ユーザから流行番組一覧の表示が指示されたか否かを判定し、流行番組一覧の表示が指示されるまで待機する。そして、ステップＳ８１において、流行番組一覧の表示が指示されると、ステップＳ８２に進み、表示部５８は、CPU１１の制御の下、上述した図１０の流行キーワード抽出処理により抽出された流行キーワードに基づいて、流行番組一覧の画面を外部のディスプレイに表示させる。これにより、例えば、図８に示した画面８１が表示される。
【０１０６】
ステップＳ８３において、流行キーワード検出部５９は、図８に示した画面８１の流行キーワード表示エリア８２に表示されている流行キーワードのうち、現在選択されている流行キーワードを検出する。図８の例の場合、流行キーワード８３（「いいや長介」）が検出される。
【０１０７】
ステップＳ８４において、番組情報検索部６０は、類義語辞書記憶部６１に記憶されている類義語辞書（図９）を参照する。ステップＳ８５において、番組情報検索部６０は、ステップＳ８３の処理で検出された流行キーワードが、類義語辞書の第１キーワードに該当するか否かを判定し、流行キーワードが類義語辞書の第１キーワードに該当すると判定した場合、ステップＳ８６に進む。ステップＳ８６において、番組情報検索部６０は、類義語辞書の第２キーワード以降のキーワードを取得する。
【０１０８】
一方、ステップＳ８５において、現在選択中の流行キーワードが類義語辞書の第１キーワードに該当しないと判定された場合、ステップＳ８６の処理はスキップされる。
【０１０９】
ステップＳ８７において、番組情報検索部６０は、現在選択中の流行キーワードを含む番組情報を番組情報データベース７１から検索する。このとき、ステップＳ８６の処理を経た場合には、流行キーワードの第２キーワード以降のキーワードを含む番組情報も検索される。ステップＳ８８において、表示部５８は、ステップＳ８７の処理で検索された番組情報を流行番組一覧に表示させる。これにより、例えば、図８に示した画面８１の関連番組表示エリア８４に流行キーワードに関連する番組が一覧表示される。図８の例の場合、ユーザにより選択された流行キーワード８３（「いいや長介」）の類義語（「いいやさん」）を含む「いいやさん永眠ご冥福を」（関連番組８５）、および「いいやさん追悼」などが表示されている。
【０１１０】
ステップＳ８９において、流行キーワード検出部５９は、図８に示した画面８１の流行キーワード表示エリア８２に表示されている流行キーワードのうち、ユーザの操作に応じて新たな流行キーワードが選択されたか否かを判定し、新たな流行キーワードが選択されたと判定した場合、ステップＳ８３に戻り、上述した処理を繰り返し実行する。
【０１１１】
また、ステップＳ８９において、ユーザは、図示せぬリモートコントローラの右ボタンを押下することで、図８の番組表示エリア８４にカーソルを移動させることができる。また、ユーザは、上下ボタンを押下することで、関連番組表示エリア８４の中から流行キーワードに関連する番組を選択し、決定ボタンを押下することで、録画予約などを行うことができる。さらに、ユーザは、左ボタンを押下することで、流行キーワードの選択、すなわち、流行キーワード表示エリア８２にカーソルを戻すことができる。
【０１１２】
ステップＳ８９において、新たな流行キーワードが選択されていないと判定された場合、ステップＳ９０に進み、CPU１１は、ユーザから流行番組一覧表示の終了が指示されたか否かを判定し、流行番組一覧表示の終了が指示されていないと判定した場合、ステップＳ８９に戻り、上述した処理を繰り返し実行する。そして、ステップＳ９０において、流行番組一覧表示の終了が指示されると、番組情報検索処理は終了される。
【０１１３】
以上の番組情報検索処理により、流行キーワードに関連する番組情報が検索され、表示される。なお、先週のキーワードデータベースファイルがキーワードデータベース７２に存在しない場合（図１０のステップＳ３）、今週のキーワードデータベースファイルとの差分を集計することができないことから、流行キーワードが抽出されないため、流行キーワードに関連する番組情報の表示は行われない。
【０１１４】
以上によれば、番組情報に含まれるキーワードの今週のキーワード数と先週のキーワード数の差分を集計することにより、流行キーワードを抽出し、抽出された流行キーワードに関連する番組情報を検索して表示することができる。従って、ユーザは、新聞、テレビ情報誌、あるいはインターネットを利用したメディアから流行キーワードを探さなくても、記録装置１より呈示される流行キーワード、および、その流行キーワードに関連付けられた番組情報（流行番組）を容易に取得することが可能となる。
【０１１５】
また以上においては、番組情報に含まれるキーワードの今週のキーワード数と先週のキーワード数の差分を集計し、その差分の多いキーワードを流行キーワードとして抽出するようにしたが、これに限らず、例えば、今週のキーワード数と先週のキーワード数の増加率の高いキーワードを流行キーワードとして抽出するようにしてもよい。
【０１１６】
上述した一連の処理は、ハードウェアにより実行させることもできるが、ソフトウェアにより実行させることもできる。
【０１１７】
一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば、汎用のパーソナルコンピュータなどに、ネットワークや記録媒体からインストールされる。
【０１１８】
この記録媒体は、図２に示されるように、装置本体とは別に、ユーザにプログラムを提供するために配布される、光ディスク２７、または半導体メモリ２９などよりなるパッケージメディアにより構成されるだけでなく、装置本体に予め組み込まれた状態でユーザに提供される、プログラムが記録されているROM１３や、HDD２５に含まれるハードディスクなどで構成される。
【０１１９】
なお、本明細書において、各ステップは、記載された順序に従って時系列的に行われる処理はもちろん、必ずしも時系列的に処理されなくとも、並列的あるいは個別に実行される処理をも含むものである。
【図面の簡単な説明】
【０１２０】
【図１】本発明を適用した記録装置の構成例を示すブロック図である。
【図２】記録装置の機能的構成例を示すブロック図である。
【図３】キーワード辞書の例を示す図である。
【図４】除外キーワード辞書の例を示す図である。
【図５】キーワードデータベースファイルの例を示す図である。
【図６】キーワードの集計処理を説明する図である。
【図７】流行キーワードデータベースファイルの例を示す図である。
【図８】流行番組一覧の画面の例を示す図である。
【図９】類義語辞書の例を示す図である。
【図１０】流行キーワード抽出処理を説明するフローチャートである。
【図１１】図１０のステップＳ２における今週のキーワード抽出・集計処理の詳細を説明するフローチャートである。
【図１２】図１１のステップＳ１６におけるキーワード抽出処理の詳細を説明するフローチャートである。
【図１３】図１０のステップＳ４における流行キーワード集計・抽出処理の詳細を説明するフローチャートである。
【図１４】番組情報検索処理を説明するフローチャートである。
【符号の説明】
【０１２１】
１  記録装置，  １１  CPU，  ２５  HDD，  ２６  光ディスクドライブ，  ２７  光ディスク，  ２８  半導体メモリI/F，  ２９  半導体メモリ，  ５１  番組情報受信部，  ５２  キーワード抽出部，  ５３  キーワード辞書記憶部，  ５４  除外キーワード辞書記憶部，  ５５キーワード集計部，  ５６  差分演算部，  ５７  流行キーワード抽出部，  ５８  表示部，  ５９  流行キーワード検出部，  ６０  番組情報検索部，  ６１  類義語辞書記憶部
【図１】
0005414251.tif 000002
【図２】
0005414251.tif 000003
【図３】
0005414251.tif 000004
【図４】
0005414251.tif 000005
【図５】
0005414251.tif 000006
【図６】
0005414251.tif 000007
【図７】
0005414251.tif 000008
【図８】
0005414251.tif 000009
【図９】
0005414251.tif 000010
【図１０】
0005414251.tif 000011
【図１１】
0005414251.tif 000012
【図１２】
0005414251.tif 000013
【図１３】
0005414251.tif 000014
【図１４】
0005414251.tif 000015